(57)【要約】【課題】  操作者が操作中の画面の変化を安定化させることによって、計量装置において操作者による商品選択する際のユーザインタフェースを安定化させ、操作者による商品選択を容易化させること。【解決手段】  一実施の形態によれば、量り売り商品を計量する計量装置であって、操作者の所持する携帯端末と通信する第１のモードと、前記携帯端末と通信しない第２のモードとを少なくとも含む複数のモードのうちのいずれのモードで当該計量装置を動作させるかに関するモードの指示を受け付けるモード受付部と、前記第１のモードに関連する情報と前記第２のモードに関連する情報とを同一画面に表示する表示制御部と、を有する計量装置が提供される。【選択図】図１
2020143968.tif 000002
【特許請求の範囲】
【請求項１】
量り売り商品を計量する計量装置であって、
操作者の所持する携帯端末と通信する第１のモードと、前記携帯端末と通信しない第２のモードとを少なくとも含む複数のモードのうちのいずれのモードで当該計量装置を動作させるかに関するモードの指示を受け付けるモード受付部と、
前記第１のモードに関連する情報と前記第２のモードに関連する情報とを同一画面に表示する表示制御部と、
を有する計量装置。
【請求項２】
前記モード受付部は、
前記第１のモードに関連する情報及び前記第２のモードに関連する情報が表示されているときに、前記操作者の当該計量装置に対する操作に応じて前記モードの指示を受け付ける、
請求項１に記載の計量装置。
【請求項３】
前記モード受付部は、
当該計量装置に表示された第１のシンボルコードが前記携帯端末に読み取られたこと又は前記携帯端末と当該計量装置との間で近距離無線通信が確立されたことを、前記第１のモードの指示であるとして受け付ける、
請求項1又は２に記載の計量装置。
【請求項４】
前記商品の種類に対応して設けられた端末装置からの前記商品の種類を含む識別情報を受け取る受取部を更に備え、
前記表示制御部は、
前記モード受付部により前記第１のモードの指示が受け付けられた場合、前記操作者の所持する前記携帯端末の介在により前記端末装置から受け取られた前記識別情報に対応する商品選択関連情報を表示するよう制御し、
前記モード受付部により前記第２のモードの指示が受け付けられた場合、前記携帯端末の介在なしに前記端末装置から受け取られた前記識別情報に対応する前記商品選択関連情報を表示するよう制御する、
請求項１ないし３のうちいずれか１項に記載の計量装置。
【請求項５】
前記表示制御部は、
少なくとも前記第１のモードの指示が受け付けられて、前記第１のモードが開始された場合は、
前記操作者の所持する前記携帯端末の介在により前記端末装置から受け取られた前記識別情報に対応する前記商品選択関連情報以外の情報を表示しないよう制御する、  
請求項４に記載の計量装置。
【請求項６】
前記表示制御部は、
前記第２のモードの指示が受け付けられて、前記第２のモードが開始された後に受け取られた前記識別情報に対応した前記商品選択関連情報が、表示されていない場合には、当該識別情報を、前記商品選択関連情報の表示のために用いないよう制御する、  
請求項４又は５に記載の計量装置。
【請求項７】
前記操作者により選択された前記商品選択関連情報に係る前記識別情報と、載置台に載置された前記商品の計量値とに基づいて、前記商品の価格を含む出力情報を、前記モードに応じて異なる態様で出力する出力部を更に備え、、
前記出力部は、
前記第１のモードにおいて、前記商品の価格に関する情報を含む第２のシンボルコードが印字されないラベルを発行し、
前記第２のモードにおいて、前記商品の価格に関する情報を含む前記第２のシンボルコードが印字されたラベルを発行し、
前記表示制御部は、
所定の商品選択関連情報に係る商品の前記出力情報が出力されると、前記所定の商品選択関連情報を消去する、
請求項４ないし６のうちいずれか１項に記載の計量装置。
【請求項８】
請求項４ないし７のうちいずれか１項に記載の前記端末装置及び前記計量装置を有する商品データ処理システム。
【請求項９】
計量装置に実行させるプログラムであって、
操作者の所持する携帯端末と通信する第１のモードと、前記携帯端末と通信しない第２のモードとを少なくとも含む複数のモードのうちいずれのモードで前記計量装置を動作させるかに関するモードの指示を受け付ける手順と、
前記第１のモードに関連する情報と前記第２のモードに関連する情報とを同一画面に表示する手順と、
を有する命令を前記計量装置に実行させるプログラム。
【発明の詳細な説明】
【技術分野】
【０００１】
本発明は、計量装置、商品データ処理システム及びプログラムに関する。
【背景技術】
【０００２】
スーパーマーケットなどの生鮮食料品店では、野菜や果物などの生鮮食品が種類毎に区分けされて山積みの状態で売り場に陳列されている。１つ１つの商品には値段やバーコードを印字したラベルは貼付されておらず、客は必要分の商品を備え付けのビニール袋に入れて、レジに持って行く。レジでは、袋ごと秤で計量して、レジに設けられているプリセットキーを操作することにより当該商品の単価データを呼び出し、その単価と計量結果の計量値とを乗算するなどして値段を算出し、商品登録を行う。
【０００３】
例えば、売り場に陳列された商品の種類毎に設けられ、客によって操作されると該商品を指示する指示情報を計量装置に送信する端末装置がある。
【０００４】
また、ショーケース内に商品を収容し、陳列し、ショーケース上に販売価格を算出し、表示する対面販売用電子秤装置を設けて販売する対面式販売データ処理システムがある。
【先行技術文献】
【特許文献】
【０００５】
【特許文献１】特許第５０２３７２７号公報
【特許文献２】特許第４１４７９３４号公報
【発明の概要】
【０００６】
操作者が指定した商品の情報を計量装置に転送する技術においては、第１の操作者が計量装置の操作中の画面の表示が、第２の操作者以降の商品選択の行動によって変化することとなる。このため、操作者が操作中の画面の変化に困惑するなどの状況が発生することがあった。
【０００７】
また、携帯電話などの携帯端末を利用して商品を購入することも可能となってきており、購入形態が多様化・複雑化している。このため、商品の購入に際して、かえって不便を感じる顧客も存在する。
【発明が解決しようとする課題】
【０００８】
開示の技術は、操作者が操作中の画面の変化を安定化させることによって、計量装置において操作者による商品選択する際のユーザインタフェースを安定化させ、操作者による商品選択を容易化させることを目的とする。また、商品の購入形態の多様化・複雑化に起因して操作者が感じる困惑を減少させることを目的とする。
【課題を解決するための手段】
【０００９】
一実施の形態によれば、量り売り商品を計量する計量装置であって、操作者の所持する携帯端末と通信する第１のモードと、前記携帯端末と通信しない第２のモードとを少なくとも含む複数のモードのうちのいずれのモードで当該計量装置を動作させるかに関するモードの指示を受け付けるモード受付部と、前記第１のモードに関連する情報と前記第２のモードに関連する情報とを同一画面に表示する表示制御部と、を有する計量装置が提供される。
【００１０】
また、他の実施形態によれば、計量装置に実行させるプログラムであって、操作者の所持する携帯端末と通信する第１のモードと、前記携帯端末と通信しない第２のモードとを少なくとも含む複数のモードのうちいずれのモードで前記計量装置を動作させるかに関するモードの指示を受け付ける手順と、前記第１のモードに関連する情報と前記第２のモードに関連する情報とを同一画面に表示する手順と、を有する命令を前記計量装置に実行させるプログラムが提供される。
【発明の効果】
【００１１】
一実施の形態により、操作者が操作中の画面の変化を安定化させることによって、計量装置における操作者による商品選択の際のユーザインタフェースを安定化させ、操作者による商品選択を容易化させることができる。また、商品の購入形態の多様化・複雑化に起因して操作者が感じる困惑を減少させることができる。
【図面の簡単な説明】
【００１２】
【図１】一実施形態による商品販売システムのシステム構成図である。
【図２】商品群、商品タグ装置、計量装置の設置例を示す図である。
【図３】携帯端末による商品の種類等の読み込みを示す図である。
【図４】計量装置の構成を示すブロック図である。
【図５】タグ装置（端末装置）の構成を示すブロック図である。
【図６】携帯端末の構成を示すブロック図である。
【図７】計量装置のブロック図である。
【図８】ＰＬＵファイルの一例を示した図である。
【図９】計量装置の表示タッチパネルを示した図である。
【図１０】モードの切り換えの動作を示すフローチャートである。
【図１１】携帯端末と計量装置との相互接続の態様を示した図である。
【図１２】量り売り商品の計量値を取得する図である。
【図１３】計量の様子を示す図である。
【図１４】計量値取得後の計量装置の表示画面とその操作を示した図である。
【図１５】携帯端末と計量装置との連係動作を示すフローチャートである。
【図１６】アイコンテーブルの一例を示した図である。
【図１７】商品が計量装置に載置されたときの状態を示した図である。
【図１８】計量装置での商品選択の例を示す図である。
【図１９】ラベルをプリントする様子を示した図である。
【図２０】アイコンの表示態様の一例を示した図である。
【図２１】アイコンの表示態様の一例を示した図である。
【図２２】アイコンの表示態様の一例を示した図である。
【図２３】アイコンの表示態様の一例を示した図である。
【図２４】計量装置の作動方法のフローチャートを示す図である。
【図２５】印刷されたラベルの例を示す図である。
【発明を実施するための形態】
【００１３】
＜実施形態の概要説明＞
実施形態の詳細を以下に説明する前に、本明細書に開示されているモードの概要について以下に説明する。
開示の技術には、少なくとも第１のモードと第２のモードとが存在する。そのほかに、後述の待機モードなどの他のモードが存在することを排除しない。
【００１４】
＜第１のモードの概要説明＞
第１のモードは、計量装置１０で商品を計量してその商品を購入する際に、操作者の保持する携帯端末３０を用いるモードである。携帯端末３０を用いることで、購入する量り売り商品を、仮想的な買い物かごに記憶させることができる。このモード１の動作は、携帯端末３０、計量装置１０、商品の種類毎に設置されたタグ装置２０などが連携して動作することによって実現される。
【００１５】
なお、携帯端末３０は、量り売り商品以外の購入商品の仮想的な買い物かごへの登録にも用いることができる。このため、量り売り商品を含めた購入商品について、携帯端末３０を利用することを可能とさせる。このことにより、精算処理などが迅速に行えるなど、携帯端末３０を操作する購入者は、商品の購入を簡便にかつ迅速に行うことができるようになる。
【００１６】
＜第２のモードの概要説明＞
第２のモードは、携帯端末３０を介さないで、タグ装置２０を操作者が操作することによって、商品を選択した場合であって、その操作者が計量装置１０を操作するときのモードである。なお、操作者がタグ装置２０を操作しない場合であっても第２のモードでの動作が行えることは言うまでもない。
なお、タグ装置２０の詳細については、後述するが、例えば、図２におけるタグ装置２０−１〜タグ装置２０−Nで示される装置がその例である
量り売り商品を購入する操作者が第２のモードにおいて実行する手順の概略は以下のとおりである。
【００１７】
まず、操作者は、購入したい量り売り商品を必要量袋に入れる。その際に、その量り売り商品に設置されたタグ装置２０の表示画面をタッチする。このように、表示画面をタッチすることによって、その商品の商品情報が、タグ装置２０から計量装置１０に送信される。
【００１８】
操作者が、計量装置１０において、先ほど袋に入れた計量商品を計量する際に、計量装置１０の画面には、既にタグ装置２０から転送された商品情報に対応する商品のアイコンが表示される。操作者は、表示された商品のアイコンのうち、載置台に載せた商品のアイコンをタッチすることによって、計量商品の金額が適切に計算される。計算された金額の情報を含むシンボルコードなどが印刷されたラベルが計量装置１０から出力される。操作者は、出力されたラベルを計量商品の入った袋に貼る。操作者がPOS端末等で清算する場合には、そのラベルに印字されたシンボルコードをPOS端末に読み取らせる。
【００１９】
以上のような手順を経ることによって、計量装置には、操作者がタッチしたタグ装置２０に対応する商品アイコンが表示されるため、適切な商品アイコンが、計量装置１０に表示されるようになる。なお、複数の操作者が、タグ装置２０にタッチした場合には、他者がタッチしたタグ装置２０に対応する商品のアイコンが表示される場合なども想定される。このための対処については、以下に記載する実施形態において詳述することとする。
【００２０】
第１のモードと第２のモードの概要は、上記のとおりであるが、計量装置１０を操作者が利用する場合には、第１のモードでの操作を行える場合であっても、第２のモードで操作がなされることも想定して、店舗のシステムが柔軟な対応を行えるようにすることが望ましい。
【００２１】
したがって、後述するように、計量装置１０が操作される場合には、第１のモードで商品を購入している操作者であっても、計量装置１０に対しては、第２のモードで操作することも許容される点に留意すべきである。
【００２２】
また、後述するように、例えば、計量装置１０の画面のコードを読み取って計量装置１０と携帯端末３０とが通信する第１のモードに移行するか、計量装置１０自体を操作して第２のモードに移行するかは、操作者の操作（インターラクション）のうち早いほうの操作が優先されることが望ましい。
【００２３】
以上が、本出願に開示されている実施形態におけるモードの概要である。なお、以上の説明は、概要説明であって、各実施形態を限定するためのものではない点に留意すべきである。
【００２４】
開示の実施形態によれば、計量装置は受け取った商品識別情報に従って商品選択関連情報（例えば商品を選択するためのアイコンボタン）を表示する。また表示されるのは計量装置を操作する操作者が操作した端末装置に対応する商品の商品選択関連情報が含まれる。したがって、商品の種類が多くても、表示された商品選択関連情報の中から容易に目的のものを探し出すことができる。
【００２５】
また、タグ装置２０（端末装置）とも連携させることにより、計量装置の表示画面に表示されたユーザインタフェースは、より安定したものとなり、第1の操作者が混乱することなく、計量装置を適切かつ迅速に操作することができる。
【００２６】
＜実施形態１＞
以下、図面を参照しながら本発明の実施形態について詳しく説明する。
【００２７】
図１は、一実施形態による商品販売システムのシステム構成図である。
【００２８】
図２は売り場における商品群（４０−１、４０−２、４０−Ｎ）のそれぞれに、商品タグ装置（２０−１、２０−２、２０−Ｎ）が設置されており、商品群の近傍に計量装置１０が設置されている様子を示している。
【００２９】
この商品販売システムは、例えば野菜や果物などの生鮮食品を販売するスーパーマーケットに設けられる。スーパーマーケットの生鮮食品売り場では、図２に示すように、バラ売りされる野菜や果物などの商品４０−１〜４０−Ｎが種類毎に区分けされて、それぞれの陳列場所５０に陳列されている。また、陳列場所毎に、当該陳列場所の商品に対応してタグ装置２０−１〜２０−Ｎ（端末装置）が設けられている。各商品は、バラ売りのため値段やバーコードを印字したラベルは貼付されておらず、操作者が商品を種類毎に必要なだけビニールなどの袋に詰めて計量装置１０で計量することで、購入する分の商品のラベルが計量装置１０から発行される。そしてこの発行されたラベルを操作者が商品を詰めたビニール袋に貼り付け、ラベルには価格等の情報を含むシンボルコードが印字されているため、その商品をＰＯＳ端末３２等で商品登録することができる。また、操作者が、携帯端末を用いることで、ＰＯＳ端末を用いずに、計量した商品の価格を登録することができ、迅速に買い物を行うことができる。
【００３０】
各タグ装置２０（端末装置）は、表示タッチパネルを備えており、この表示タッチパネルが操作者により操作（タッチ）されると、タグ装置２０は記憶しているＰＬＵ（Ｐｒｉｃｅ Ｌｏｏｋ Ｕｐ）コード（又は商品識別情報）を計量装置１０へ送信する。このＰＬＵコードは、商品の種類を識別する商品識別番号（指示情報）であり、当該タグ装置２０に対応付けられた商品を指示するものである。操作者は、購入しようとする商品をビニール袋に詰める際に、その商品に対応するタグ装置２０に対して上記タッチ操作を行う。こうして、計量装置１０で計量を行う商品のＰＬＵコードが、各タグ装置２０から計量装置１０へ送信される。なお、操作者の操作は、タッチパネルへのタッチに限定されるものではない。例えば、タグ装置２０の筐体に触れることや、タグ装置に備えられたボタンを押すことなどの操作であってもよい。
【００３１】
また、タグ装置２０（端末装置）の表示タッチパネルには、記憶している商品のＰＬＵコード等を含むシンボルコードを表示することができる。携帯端末を保持している操作者は、このシンボルコードを携帯端末のカメラを介して読み取ることができる。読み取られたＰＬＵコードは、携帯端末３０と計量装置１０との間で確立された近距離無線通信によって、計量装置１０に送られてもよい。或いは、携帯端末３０から無線ＬＡＮ（又は公衆電話回線など）を経由してストアコントローラ３１を介して計量装置１０にＰＬＵコードが転送されてもよい。
【００３２】
なお、各タグ装置２０と計量装置１０とは有線ＬＡＮ又は無線ＬＡＮなどにより通信が可能に接続されている。図１に示す全ての機器が、単一のＬＡＮ又は無線ＬＡＮで接続されてもよい。
【００３３】
計量装置１０は、タグ装置２０から上記ＰＬＵコードを受信して、受信したＰＬＵコードに対応する商品のアイコン（商品選択関連情報）を表示タッチパネル１０４の画面上に表示する。受信したＰＬＵコードが複数であれば、それらを画面上に表示する。また、計量装置１０は、計量部（秤）に載置された商品の重量を計量するとともに、表示タッチパネルで操作者に選択されたアイコンに対応する商品の単価などの商品データを記憶部（ＲＡＭ）から呼び出して、商品の値段を計算してラベルを発行する。
また、印字部１１０は、計算された商品の価格及び必要に応じてバーコードを印字したラベルを出力する。
載置台を含む計量部１０９は、載置台に載せられた商品の重量を計測する。
【００３４】
ＰＯＳ端末３２及びセルフＰＯＳ端末３３（商品登録装置）は、いわゆるレジであり、操作者が購入する商品（計量装置１０で計量する生鮮食品のほか、予めラベルが貼付されている商品も含む）の商品登録や代金精算などを行う。また、ＰＯＳ端末３２、及びセルフＰＯＳ端末３３は、携帯端末３０で商品登録を行った代金を精算する精算装置でもある。ＰＯＳ端末３２は店員が操作し、セルフＰＯＳ端末３３は操作者自らが操作する。商品のラベルには、ＰＬＵコード等の商品識別番号や、計量装置１０で発行されたラベルの場合には重量に応じた値段情報などが、バーコードの形式で印字されており、ＰＯＳ端末３２およびセルフＰＯＳ端末３３はこれらバーコードを読み取る読取装置を備えている。そして、ＰＯＳ端末３２およびセルフＰＯＳ端末３３は、読取装置で読み取ったバーコードの情報とメモリに記憶している商品売価などの情報に基づいて、商品の登録処理を行う。
【００３５】
また、携帯端末３０は、上記のＰＯＳ端末の機能を兼ね備えており、携帯端末単独で、電子決済等を行うことで、操作者又は店員によるＰＯＳ端末操作を省くことができる。このため、携帯端末を持つ操作者は、迅速に買い物を行うことができる。
【００３６】
ストアコントローラ３１は、スーパーマーケット内で各種データの管理を行うコンピュータであり、計量装置１０、ＰＯＳ端末３２、セルフＰＯＳ端末３３、携帯端末３０とＬＡＮ（Ｌｏｃａｌ Ａｒｅａ Ｎｅｔｗｏｒｋ）又は無線ＬＡＮなどにより接続されている。各種データとして、例えば、ＰＯＳ端末３２およびセルフＰＯＳ端末３３が記憶する商品売価等の情報を格納した商品ファイルや、計量装置１０が記憶する後述のＰＬＵファイル（図８参照）、またＰＯＳ端末３２およびセルフＰＯＳ端末３３から送信される実績ファイルなどがある。
【００３７】
図３は、携帯端末３０による商品の種類等の読み込みを示す図である。
【００３８】
図３は、携帯端末３０を用いて、操作者が購入したい量り売り商品の種類を携帯端末によって取得する例を示している。図２には、レモン４０−１、リンゴ４０−２、オレンジ４０−Ｎが陳列されており、それぞれの量り売り商品の背後に、ディスプレイを有するタグ装置２０−１、タグ装置２０−２、タグ装置２０−Ｎが置かれている。
【００３９】
図３において、例えば、タグ装置２０−１には、レモンの文字、単価はｋｇあたりであること、単価は、ｎｎ円であることが表示されている。また、携帯端末３０がこれらの情報を光学的に読み取れるように、バーコードが表示される。このバーコードは携帯端末３０のカメラで読み取られてディスプレイにバーコード３０１として表示されている。これらのタグ装置２０における表示は、紙などに印刷した状態で表示されてもよい。なお、ディスプレイを用いて表示することで、タイムサービスなどのときの値引きを加味した表示を迅速に行える。また、バーコードを所定の時間で変更して表示することによって、予めカメラで撮影しておいたバーコードなどを携帯端末３０に読み取らせることで、異なる単価にて、量り売り商品を登録するなどの不正を防止することもできる。
【００４０】
図３における携帯端末３０には、カメラが具備されており、レモン４０−１のバーコード３０１が読み取られていることがわかる。携帯端末の表示領域には、読み取られた「レモン」３２１の表示と、「要計量」３２５の表示及び、小計欄？？？円３１５等が表示されている。
【００４１】
なお、小計欄３１５には、登録されている商品が１点であること、その概算合計が？？？円であること、お会計へ進むのボタンが表示されている。レモンの計量値が得られていないため、要計量３２５が報知されており、操作者に対して計量を行うよう促している。また、計量がなされていないため、？？円の表示がなされている。また、計量がなされていない量り売り商品の欄３２１は、網掛け表示となっており、計量値がなされていないことが操作者に対し
て認識できる態様で表示されている。
【００４２】
図４は、計量装置１０の構成を示すブロック図である。計量装置１０は、ＣＰＵ１０１と、ＲＯＭ１０２と、ＲＡＭ１０３と、表示タッチパネル１０４と、キー操作部１０５と、時計部１０６と、第１通信部１０７と、第２通信部１０８と、計量部１０９と、印字部１１０と、撮像部１１１と、外部記憶制御部１１２とを有し構成されている。
【００４３】
外部記憶制御部１１２には、ＤＶＤ−ＲＯＭ、ＵＳＢメモリなどの可搬型記憶媒体１１３が接続される。可搬型記憶媒体１１３には、プログラムを含む情報が格納されており、外部記憶制御部１１２により、その情報の読み書きが行われる。
【００４４】
ＣＰＵ１０１は、計量装置１０の動作を制御する中央処理装置であり、ＲＯＭ１０２からプログラムを読み出して実行することで、そのプログラムに従った計量装置１０の動作を実現する。ＲＯＭ１０２は、読出し専用メモリであり、上記プログラムが格納されている。ＲＡＭ１０３は、随時書込み読出しメモリであり、後述するＰＬＵファイルやアイコンテーブル、その他一時データ等を記憶する。
【００４５】
表示タッチパネル１０４は、計量装置１０を操作する操作者との間のユーザ入出力インタフェースであり、計量する対象の商品を選択するためのアイコン及びその他各種情報を画面上に表示するとともに、表示されたアイコンに対する操作者からの選択入力を受け付ける。タグ装置２０から送信されて第２通信部１０８で受け取られるＰＬＵコードなどの商品識別情報によって、表示タッチパネル１０４に表示するアイコンが特定される。表示タッチパネル１０４の画面表示例については後述する。また、操作者が画面上から選択したアイコンに対応する商品のデータがＲＡＭ１０３のＰＬＵファイルから読み出されて、当該商品の値段が計算される。
【００４６】
キー操作部１０５は、表示タッチパネル１０４で行う入力以外の入力を行うためのものである。
時計部１０６は、時刻情報を出力する。この時刻情報は、表示タッチパネル１０４に表示するアイコンの表示の態様を制御するために用いられる。
【００４７】
第１通信部１０７は、ＬＡＮインタフェースであり、ストアコントローラ３１との通信を制御する。この第１通信部１０７を介して、ストアコントローラ３１からＰＬＵファイルが取得される。第１通信部を介して、ストアコントローラから計量装置にプログラムが転送されてもよい。転送されたプログラムは、例えばＲＡＭ１０３に記憶され得る。
第２通信部１０８は、各タグ装置２０との通信を制御する。各タグ装置２０から送信されるＰＬＵコードは、この第２通信部１０８によって受信される。
図４では、第1通信装置と第2通信装置の二つの通信装置を備えているが、1つの通信装置が、全ての通信を行うようにしてもよい。
【００４８】
計量部１０９は、計量装置１０本体の上部に備えられた計量皿に載置された商品の重量を計量し計量値を出力する。
【００４９】
印字部１１０は、計量部１０９で計量された商品について、値段やバーコードを印字したラベルを発行する。このラベルには、計量部１０９から計量結果として出力される計量値とＲＡＭ１０３に格納されたＰＬＵファイル内の当該商品に関する商品情報（単価データなど）とに基づいて、出力（印字）が行われる。
【００５０】
図５は、タグ装置２０（端末装置）の構成を示すブロック図である。タグ装置２０は、ＣＰＵ２０１と、ＲＯＭ２０２と、ＲＡＭ２０３と、通信部２０４と、表示タッチパネル２０５と、報知を行うための報知用ランプ２０６と、報知・ガイダンスなどを行うための音響出力部２０９と、外部記憶制御部２１０とを有して構成されている。なお、表示タッチパネル２０５が報知・ガイダンスを行えば、報知用ランプ２０６及び音響出力部２０９は無くてもよい。或いは、表示タッチパネルへのタッチの検知に代えて、タグ装置２０自体に触れることを検知するセンサ（不図示）を設けてもよい。或いは、タッチの代わりに、ボタン（不図示）の押下を検知してもよい。
【００５１】
外部記憶制御部２１０には、ＤＶＤ−ＲＯＭ、ＵＳＢメモリなどの可搬型記憶媒体２１３が接続される。可搬型記憶媒体２１３には、プログラムを含む情報が格納されており、外部記憶制御部２１０により、その情報の読み書きが行われる。
【００５２】
ＣＰＵ２０１は、タグ装置２０の動作を制御する中央処理装置であり、ＲＯＭ２０２からプログラムを読み出して実行することで、そのプログラムに従ったタグ装置２０の動作を実現する。ＲＯＭ２０２は、読出し専用メモリであり、上記プログラムが格納されている。ＲＡＭ２０３は、随時書込み読出しメモリであり、当該タグ装置２０に対応付けられている商品（当該タグ装置２０が備えられた陳列場所に陳列されている商品）のＰＬＵコードを記憶している。
【００５３】
通信部２０４は、例えば、ＬＡＮインタフェースであり、計量装置１０との通信を制御する。この通信部２０４を介して、ＲＡＭ２０３に記憶されているＰＬＵコードが計量装置１０へ送信される。
【００５４】
表示タッチパネル２０５は、操作者によって接触がなされたことを検知するほか種々のガイダンスを表示する。表示タッチパネル２０５が操作（接触）された場合、報知用ランプ２０６は所定時間点灯し、音響出力部２０９は所定時間報知音を出力することが望ましい。
【００５５】
図６は、携帯端末３０の構成を示すブロック図である。携帯端末３０は、操作者が所有するものであってもよいし、店舗が操作者に貸し与えるものであってもよい。ＣＰＵ３４１と、ＲＯＭ３４２と、ＲＡＭ３４３と、通信装置３４４と、表示タッチパネル３４５と、タグ装置２０に表示されたバーコードなどを読み取るカメラ３４７と、外部記憶制御部３４８と、報知・ガイダンスなどを行うための音響入出力部３４９とを有する。
【００５６】
外部記憶制御部３４８には、小型のメモリなどの可搬型メモリ３４６が接続される。可搬型メモリ３４６には、プログラムを含む情報が格納されており、外部記憶制御部３４８により、その情報の読み書きが行われる。
【００５７】
ＣＰＵ３４１は、携帯端末３０の動作を制御する中央処理装置であり、ＲＯＭ３４２又はＲＡＭ３４３からプログラムを読み出して実行することで、そのプログラムに従った携帯端末３０の動作を実現する。ＲＯＭ３４２は、読出し専用メモリである。ＲＡＭ３４３は、随時書込み読出しメモリである。
【００５８】
通信装置３４４は、例えば、公衆電話網、Bluetooth（登録商標）などの近距離無線通信、無線ＬＡＮなどのインタフェースであり、ストアコントローラ３１及び計量装置１０との通信を制御する。この通信装置３４４を介して、ＰＬＵコードが計量装置１０へ送信される。ＰＬＵコードは、ストアコントローラ３１を介して、計量装置１０に転送されてもよい。
なお、携帯端末３０には、ＧＰＳなどを用いた位置検出部（不図示）が設けられていてもよい。
【００５９】
図７は、一実施形態における計量装置のブロック図である。
【００６０】
操作者がタグ装置２０（端末装置）のタッチパネルをタッチするなど、操作者とタグ装置２０とのインターラクションに応答して、ＰＬＵコード（商品識別情報）が、受取部４０１に受け取られる。タッチパネルへのタッチは、インターラクションの一例である。インターラクションはこれに限られず、例えば、２０に設置された物理的なボタンを押すこと、及び表示された商品識別コードを含むシンボルコードをスマートフォンで撮像し、スマートフォン経由で計量装置が商品識別コードを受け取る場合には、スマートフォンがタグ装置のシンボルコードを読み取ることもインターラクションの他の例である。
【００６１】
モード受付部４０３は、操作者による計量装置への操作などのインターラクションに応じて、モードの指示を受け付ける。モードには、少なくとも操作者の携帯端末を介在させる第１のモードと、携帯端末が介在しない第２のモードがある。計量装置１０には、第１のモードの情報と第２のモードの情報が表示された待機モードの画面が表示されるようにすることが望ましい。図９は、待機モードの画面の例である。操作者が携帯端末１０で、待機画面のシンボルコードを読み取らせることで、モード受付部４０３は、第１のモードの指示を受け付けることができる。
操作者が、待機画面１０４ｂの下部をタッチすること、或いは載置台に商品を載せることは、モード受付部に対して第２のモードの指示となる。
【００６２】
また、受取部から受け取られた商品の識別情報（ＰＬＵコード）から商品アイコン（商品選択関連情報）を特定する。商品アイコンは、表示タッチパネル１０４に表示され、計量される商品の種類を操作者に選択することを促すためのものである。
【００６３】
表示制御部４０７は、操作者が計量装置を操作している最中であるか否かに応じて、商品アイコンの表示の態様を制御する。また、操作者が商品アイコンをタッチするなどして選択すると、その商品アイコンに対応するＰＬＵコードが認識されるようになっている。表示制御部４０７は、ＰＬＵコードを出力部４０９に送る。
また、表示制御部４０７は、待機モードを示すために、前記第１のモードと前記第２のモードに関連する情報を同一画面に表示することが望ましい。
計量部４０５は、載置台に載せられた商品の重量を計測する。
【００６４】
出力部４０９は、印字の指示を受けると、商品の価格及び必要に応じて例えばラベルに印字する。商品の価格は、計量部から受け取った商品の重量と、表示制御部４０７から受け取ったＰＬＵコードと、あらかじめ記憶しておいた単価情報等を基にして、商品の価格を計算する。リンゴなど、個数で単価が設定されている場合には、個数を推定して、商品価格を計算する。
【００６５】
出力部から出力されるものは、ラベルに限られない、計量した商品に貼付するもの、商品を入れた袋に表示されるものなどでもよい。携帯端末を介在させた第１のモードであれば、その場で仮想的な買い物かごに価格情報が転送されるようにすれば、ラベルには、バーコードが印字されなくてもよい。この場合、操作者は、携帯端末３０で登録された商品の精算を行なうことができるセルフＰＯＳ端末３３で精算しても良いし、ＰＯＳ端末３３を介さず携帯端末３０自体で電子決済しても良い。電子決済の場合、操作者に対して、店舗の出口付近や出口付近の特定エリアで電子決済を行うよう、操作者に促してもよい。
【００６６】
携帯端末を持たない、通常の操作者の場合には、商品の価格を含む情報が含まれたラベルを印字することが望ましい。操作者は、印字されたラベルを商品の袋に貼付する。貼付されたラベルのバーコードは、精算の際にＰＯＳ端末等により読み取られ、決済が行われる。
【００６７】
図８は、ＰＬＵファイルの一例を示したものである。
【００６８】
ＰＬＵファイルは、計量装置１０での計量対象となる商品毎に、ＰＬＵコード、品名、単価、重量、まとめ買い金額、アイコン名、の各項目のデータを記憶したファイルであり、ストアコントローラ３１によって作成され、計量装置１０へ送信されてＲＡＭ１０３に記憶されている。
【００６９】
ここで、重量のデータは、商品１個当りの平均値として設定された値であり、計量装置１０で計量された計量値からその商品の個数を計算するために使用するデータである。よってこのデータは、例えばりんご等の個数売り商品にのみ設定されている。個数売りでない商品、例えば精肉などのグラム売り商品の場合は単価のデータ（グラム単価）のみを用いて値段が計算される。単価のデータは、個数売り商品については１個当りの金額、グラム売り商品については例えば１００グラム当りの金額が設定される。
【００７０】
図９は、計量装置１０の表示タッチパネルを示した図である。表示タッチパネルの初期画面１０４ｂの画面下部に示されるように、「商品をハカリに載せてください」と表示されている（１０４ｃ）。初期画面は、待機モードの状態の一例である。なお、画面上部には、スマホアプリで計量装置を操作する際の説明が表示されている。操作者が、商品を載置すると、商品を選択するためのアイコンが表示される画面が表示されるようにしてもよい。或いは、操作者が計量装置１０の画面をタッチしても、商品が載置されたときと同様の動作が行われるようにしてもよい。
【００７１】
操作者が携帯端末３０を用いて、シンボルコード（当該シンボルコードは、第１のシンボルコードの一例である）を読み取ると、以下に詳述する第１のモードに遷移する。操作者が、商品を載置台に載置させると、以下に詳述する第２のモードに遷移する。なお、このモードの遷移の仕方は一例である。例えば、操作者がスマホやシンボルコードの部分をタッチすれば、第１のモードに遷移してもよい。また、操作者が画面の下部１０４ｃをタッチすれば第２のモードに遷移するようにしてもよい。
【００７２】
図１０は、これらのモードの切り換えの動作を示すフローチャートである。以下にその動作を説明する。
【００７３】
[Ｓ１００１]ステップＳ１００１で、計量装置のタッチ画面に、モード切換の選択画面或いはその他の画面が表示される。処理はステップＳ１００２に移る。
[Ｓ１００２]ステップＳ１００２で、モードを切り換えることができる初期画面が表示されているか否かがチェックされる。初期画面においては、二つのモードの概要が表示されており、操作者がモードの内容を把握できるようにすることが望ましい。この判断がＮｏであれば、再度ステップＳ１００２を繰り返す。この判断がＹｅｓであれば、ステップＳ１００４に進む。
【００７４】
[Ｓ１００４]ステップＳ１００４で、操作者の保持する携帯端末によって、画面のシンボルコードが読み取られたか否かがチェックされる。なお、画面のシンボルコードを読み取る代わりに、計量装置との間でＮＦＣにより通信が確立されたかをチェックしてもよい。このチェックがＹｅｓであれば、処理は、携帯端末を使った第１のモードで計量装置を作動させるためステップＳ１０１２に進む。第１のモードの詳細は後述する。チェックかＮｏであれば、ステップＳ１００６に進む。
【００７５】
[Ｓ１００６]ステップＳ１００６で、商品が載置台に乗せられたかがチェックされる。商品が載置台に乗せられたということは、操作者が携帯端末を所持しておらず、マニュアルで計量装置を操作することを示している可能性が非常に高い。このため、この判断がＹｅｓであれば、第２のモードに移行するべくステップＳ１０１０に進む。なお、上述のように、操作者が、明示的にマニュアルの処理をするべく、画面をタッチしたような場合も、ステップＳ１０１０に進むことができる。この判断がＮｏであればステップＳ１００２に戻る。
【００７６】
[Ｓ１０１０]ステップＳ１０１０で第１のモードが実行される。第１のモードの詳細は後述する。第１のモードが終了すれば、ステップＳ１００１に戻る。
[Ｓ１０１２] ステップＳ１０１２で第２のモードが実行される。第２のモードの詳細は後述する。第２のモードが終了すれば、ステップＳ１００１に戻る。
【００７７】
＜第１のモードの内容＞
以下に、第１のモードの内容を説明する。第１のモードは、携帯端末を介して、タグ装置２０を操作者が操作することによって、商品を選択した場合であって、その操作者が計量装置１０を操作するときのモードである。
【００７８】
図１１は、携帯端末３０と計量装置１０との相互接続の態様を示した図である。
【００７９】
図１１（Ａ）は、携帯端末３０のカメラが、計量装置１０に表示されたシンボルコード５６ａを読み取る様子を示した図である。携帯端末３０には、撮像されたシンボルコード５６ｂが、画面に表示されている。
【００８０】
携帯端末３０は、シンボルコードを解析し、相互通信に必要な情報を取得する。この情報を用いて、携帯端末３０の通信装置３４４と、計量装置１０の第２通信部１０８は、Bluetooth（登録商標）などの近距離無線通信を利用して、相互通信を確立することができる。なお、携帯端末３０に表示されたシンボルコードを計量装置１０の撮像部１１１が読み込むことで、相互通信を確立したり、ＮＦＣを用いて、相互通信に必要な情報を取得したりしてもよい。なお、相互通信が確立した後は、Bluetooth（登録商標）などの近距離無線通信だけでなく、他のＷｉ−Ｆｉなどの無線通信、光通信、携帯電話の広域通信網等が併用されてもよい。
【００８１】
図１１（Ｂ）は、相互通信が確立され、携帯端末３０によって登録された量り売り商品の情報が計量装置に転送されたときの状況を示している。なお、携帯端末３０によって登録された量り売り商品の情報は、相互通信により携帯端末３０から計量装置１０に直接伝達されてもよいが、通信接続されているＰＯＳ端末３２、ストアコントローラ３１などの他の機器、サーバー装置（不図示）を経由して、計量装置１０に伝達されてもよいことは言うまでもない。
【００８２】
図１１（Ｂ）では、計量装置１０の表示画面６０ａが、表示画面６０ｂとして大きく示されている。携帯端末３０の画面にも、同じ表示画面６０ｂが表示されるようにしてもよい。このように携帯端末３０にも計量装置１０の表示画面６０ｂを表示させることによって、操作者は、携帯端末３０から計量装置１０に指示を行うことができる。なお、携帯端末３０には、このような画面を表示させずに、商品登録画面を表示させておいてもよいことは言うまでもない。
【００８３】
図１１（Ａ）の携帯端末３０に示されるように、未だ計量値が取得されていない量り売り商品であるリンゴとレモンが表示されている。この２つの量り売り商品が表示された理由は、タグ装置２０のリンゴとレモンのバーコードを読み込むことで、これらの商品の種類を携帯端末３０のカメラを介して取得したためである。商品を選択することと、操作者が持っているリンゴとレモンのそれぞれを計量することを促すために「商品を選択してその商品を台に載せてください」との報知がなされている。
なお、携帯端末を介したモード（第１のモード）の場合には、操作者の携帯端末が読み取った商品の種類を示すアイコンのみを表示させることが望ましい。
【００８４】
他の操作者の携帯端末が読み取った商品の種類や、後述するように携帯端末を持たない操作者が第1のモードに切替わる前や第１のモードに切替った後にタグ装置２０をタッチした商品に対応する種類のアイコンは表示させないことが望ましい。なぜなら、他者が購入しようとしている商品のアイコンを表示させないようにすることによって、携帯端末を使用した操作者に混乱を与えないこととするためである。このようにすることによって、携帯端末を介して量り売り商品を購入する操作者の購入の処理を迅速化させることができる。なお、第１のモードのときに他の操作者がタグ装置２０にタッチした情報は、例えば計量装置１０のＲＡＭ１０３に記憶されるようにする。
【００８５】
或いは、少なくとも、第１のモードが開始された直後においては、操作者の携帯端末が読み取った商品の種類を示すアイコンのみを表示さることが望ましい。その後においては、表示するアイコンの制限を緩めてもよい。
【００８６】
なお、表示画面６０ｂには、商品を検索するための検索アイコンは、表示されなくてもよい。なぜなら、操作者は、既にタグ装置２０に表示されている商品のシンボルコードを携帯端末３０によって読み込んでいるからである。なお、操作者が携帯端末３０によって商品のシンボルコードを読み取ることを忘れている場合も想定される。そのような場合には、ヘルプキー（不図示）をタッチすることで、商品検索を行えるようにしてもよい。
【００８７】
また、計量を中止するボタン６６が表示されていてもよい。
【００８８】
図１２は、量り売り商品の計量値を取得する図である。図１２（Ａ）において、まず操作者は、表示画面６０ｄのリンゴのボタン６３をタッチする。操作者の手指１００で計量装置の画面のリンゴのボタン６３がタッチされたことにより、リンゴのボタン６３がハイライト表示されたことが示されている。この操作によって、計量装置１０の表示制御部４０７は、リンゴが計量されることを検知する。そして、表示画面にリンゴの単価が３６０．００円／Ｋｇであることが表示される。この単価は、計量装置が、例えば店舗の商品マスタから、あらかじめ取得しておくか、量り売り商品のリンゴが操作者に選択されたことに応答して、商品マスタから、リンゴの単価を取得して、表示すればよい。
【００８９】
図１２（Ｂ）は、計量装置１０の表示画面７０ａが表示画面７０ｂとして拡大して示されている。その拡大された表示画面７０ｂには、「商品を載せてください」７３の報知がなされ、操作者に対して、リンゴを載台６２に載せるよう促されている。また、操作者にわかりやすいようにリンゴの表示７５が表示されている。戻るボタン７７は、前の画面に戻って、前の表示画面を表示させるコマンドボタンである。なお、商品が既に載置されている場合には、「商品を載せてください」７３の報知がなされなくてよい。
操作者は、この表示に応答して、操作者の手指１００によって、リンゴ８０を載台６２に載せようとしている。
【００９０】
図１３は計量の様子を示す図である。図１３（Ａ）において、リンゴ８０ａが載台６２に載せられたため、表示画面９０ａ（９０ｂ）には、その計量値が１．２００６Ｋｇであること、単価が３６０．００円であること、計量値と単価に基づいて、リンゴの合計金額が４３２円であることが示されている。なお、合計金額は、小数点以下を切り捨てるなどして、計算により求めればよい。
【００９１】
表示画面９０ｂには、ラベルの印字コマンドボタン９３が表示されている。なお、印字コマンドボタン９３は商品を載せて計量値が安定したときに初めて表示されるようにすることが望ましい。或いは、計量値が安定するまでは印字コマンドボタン９３は暗転していて押しても印字が行われないようにしておき、計量値が安定すると明るく表示され、押すと印字が行われるようになっていてもよい。また、「プリントボタンを押してください」との報知がなされている。操作者は、自己の操作が正しいことを確認した後、印字コマンドボタン９３を操作者の手指１００でタッチする。
【００９２】
図１３（Ｂ）は、印字コマンドボタン９３がタッチされた後の表示画面９５を示している。表示画面９５には、計量装置１０ａからラベル９７が印字されたら、商品の袋８１にラベル９７を貼付するように促す報知がなされている。なお、ラベルをプリントアウトさせないこととしてもよい。また、ラベルには、計量値の情報を含むシンボルコードを印字させないようにしてもよい。商品種類と計量値とは、計量装置１０の通信手段３３３から、携帯端末３０の通信手段２１５を介して、相互通信を用いて、携帯端末に転送されることが望ましい。また、計量装置１０は、商品種類と計量値（及び価格）を、通信回線を介して、店舗の他の上位装置に備えられた操作者のバスケットに保存されるように送信してもよい。価格等がバスケットに保存されれば、ラベルには、価格等を含むシンボルコードを印字しないようにすることが望ましい。図１３（Ｂ）は、計量装置１０の画面であるが、印字されるラベルには、シンボルコードが印字されていないラベル９７が表示されている。実際に印刷される場合にも、価格等を含むシンボルコードを印字しないようにすることが望ましい。なぜなら、既にバスケットに当該商品の価格が記憶されているからである。図１３（Ｂ）のラベル９７の例を図２５（Ａ）に示す。
【００９３】
図１４は、計量値取得後の計量装置１０の表示画面６０ｅとその操作  を示した図である。図１４（Ａ）に示されるように、領域６３ａには、リンゴの表示が消えている。すでに、リンゴの計量値を取得し、ラベルをプリントアウトしたため、リンゴの表示を行う必要がないためである。
【００９４】
図１４（Ｂ）は、操作者の手指１００で、計量を中止するボタン６６がタッチされた例を示している。表示画面６０ｆには、レモンの表示６５ａが残っているため、操作者は、レモンの計量を行うことが求められているが、このような状況であっても、操作者の意思に基づいて、計量を中止することができる。
【００９５】
図１５は、携帯端末３０と計量装置１０との連係動作を示すフローチャートである。以下、このフローの詳細を説明する。
【００９６】
［Ｓ２００２］携帯端末３０が、量り売り商品のシンボルコードを読み取る。この操作によって、携帯端末は、量り売り商品の種類を取得する。取得された商品の種類が、携帯端末に登録され、画面に表示される。この段階では、計量商品の計量値が取得されていないため、精算処理への移行は禁止される。なお、携帯端末を操作する操作者は、会計へ進むボタンを押すことは、許容されるようにしてもよい。この場合には、計量値が取得されていない商品を保留バスケットに入れるよう促せばよい。
【００９７】
なお、保留バスケットとは、例えば精算時に店員の介在が必要な商品などを、他の通常の商品と区別して入れておくバスケットである。通常のバスケットに併設して、又はバスケットに仕切りを作って、保留商品を入れる領域を設けることによって、店員の介在する精算処理が迅速に行われる。なお、保留バスケットを必ず設けなければならないわけではない。また、計量値を取得するよう「要計量」の報知を行って、計量値を取得するよう報知することが望ましい。処理は、ステップＳ２００４に移る。
【００９８】
［Ｓ２００４］種類を取得する作業は完了したかがチェックされる。このチェックで肯定的判断（ｙｅｓ）になるのは、携帯端末３０が量り売り商品のシンボルコードを読み取った後に「読取完了」のボタン（不図示）が押されるなどの確認操作がなされた時である（なお、この「読取完了」のボタンを必ず設ける必要はない）。この場合には、ステップＳ２００６に移る。それ以外の場合(会計へ進むボタンが押された場合など)は、否定的判断（ｎｏ）が自動的になされ、ステップＳ２００２に戻る。なお、操作者が、計量装置１０のシンボルコードを携帯端末３０に読み取らせた場合には、Ｓ２００６の処理に移るようにする。
【００９９】
［Ｓ２００６］計量装置との相互通信の情報の取得がなされる。すなわち、携帯端末３０によって、計量装置のシンボルコードが読み取られる。なお、ＮＦＣによる接続、携帯端末に表示されたシンボルコードを計量装置が読み取る等により接続情報を携帯端末が取得してもよい。処理はステップＳ２００８に移る。
【０１００】
［Ｓ２００８］計量装置との間で相互通信が確立される。Bluetooth（登録商標）などの近距離無線通信を携帯端末３０と計量装置１０とが占有する。処理はステップＳ２０１０に移る。
【０１０１】
［Ｓ２０１０］計量装置への操作者による操作が行われて、計量値が取得される。或いは、相互通信の確立した携帯端末を用いて、携帯端末３０を用いた操作者による操作に応答して計量装置が、計量値を取得してもよい。計量装置１０から携帯端末３０が計量値を取得し、登録する。携帯端末３０は、計量値が取得された商品の欄の表示態様を変更して、計量値が取得された旨がわかるようにしてもよい。また、計量値と単価から、価格を計算して、価格を表示してもよい。処理はステップＳ２０１２に移る。
【０１０２】
［Ｓ２０１２］取得した全ての計量すべき商品の種類の計量値を取得したかがチェックされる。このチェックが否定的（ｎｏ）であれば、処理は、ステップＳ２０１０に戻る。このチェックが、肯定的（ｙｅｓ）であれば、処理は、ステップＳ２０１４に移る。
【０１０３】
［Ｓ２０１４］精算処理への移行の禁止を解除する。そして、相互通信が切断される。
以上で、計量装置１０と携帯端末３０との連係動作が終了する。
【０１０４】
なお、携帯端末３０と計量装置１０とをBluetooth（登録商標）など（Wi-Fi、NFC等の電波を用いた接続方法）で接続している状態で、操作者が、例えば計量装置１０に対して一定時間何もしなかった場合には、タイムアウトとなり、携帯端末３０と計量装置１０との接続を切断してもよい。 このような場合には、計量装置１０と携帯端末３０との接続中に操作者が立ち去ったと推定できる。そして、タイムアウトにより、その処理を強制的に終了させることで、次の操作者（顧客）が計量装置１０を使用することを可能とさせることができる。
【０１０５】
＜第２のモードの内容＞
以下に、第２のモードの内容を説明する。第２のモードは、携帯端末を介さないで、タグ装置２０を操作者が操作することによって、商品を選択した場合であって、その操作者が計量装置１０を操作するときのモードである。
【０１０６】
図１６は、携帯端末３０を介さないで、タグ装置２０をタッチした操作者によって選択された商品に対応するアイコンテーブルを示す図である。このアイコンテーブルは、計量装置１０のＲＡＭ１０３に作成されて記憶されてもよい。アイコンテーブルには、ＰＬＵコード、アイコンカウンタ、時刻メモリ、表示優先度、選択可能、などの各項目のデータが記憶される。このアイコンテーブルは、計量装置１０が表示タッチパネル１０４の画面上に表示する商品のアイコンを管理するために使用される。ここで、表示タッチパネル１０４に同時に表示できるアイコンの数は限られている。アイコンテーブルは、４までのエントリが示されているが、それ以上のエントリを持つよう設計されることが望ましい。各番号は、たとえば表示タッチパネル１０４の画面の左上からのアイコンの表示の順番を示す。
【０１０７】
具体的に、計量装置１０は、タグ装置２０からＰＬＵコードを受信すると、そのＰＬＵコードがアイコンテーブルに存在するか判定し、存在しない場合、空いているエントリに当該ＰＬＵコードを新しく追加し、アイコンカウンタの数値を「１」に設定し時刻メモリの値をその時刻に設定する。そして、例えば、操作者が、計量装置を操作し始めたときに、存在するエントリに優先度１を設定し、選択可能の欄を１に設定して、それぞれのアイコンを表示させる。
【０１０８】
そして、操作者が計量装置を操作している最中に、他の操作者がタグ装置２０にタッチしたことにより、ＰＬＵコードが受け取られた場合には、アイコンテーブルに、そのエントリを加える。その際、操作者に混乱等を与えないように、例えば、アイコンの優先度の設定を０に設定し、アイコンの表示を禁止することとしてもよい。或いは、優先度０のエントリは、グレー表示としたり、アイコンの大きさを小さくしたり、点滅させたりしてもよい。また、例えば、選択可能の欄に０を設定することで、操作者が選択できないようにしてもよい。
【０１０９】
あるいは、既にアイコンが表示されている場合には、表示されているアイコンカウンタの値をインクリメントしてもよい。画面上にも、アイコンにカウンタの値を表示させてもよい。
【０１１０】
また、アイコンテーブルには、上述した携帯端末を介した操作者のエントリを含ませてもよい。この場合、操作者の識別コードなどを合わせて記憶することによって、所定の操作者が操作している際に表示する所定のアイコンを特定できるようにしてもよい。
【０１１１】
また、受信したＰＬＵコードがアイコンテーブルに存在する場合には、既にそのＰＬＵコードが存在している当該エントリのアイコンカウンタの数値を１つ増加させ、時刻メモリの値をその時の時刻に設定する。そして、この場合、その商品のアイコンは既に表示されている場合には画面上の表示は変更しない（カウンタの値だけ更新してもよい）。
【０１１２】
優先度が１でないエントリのＰＬＵコードが再度受信された場合には、ＰＬＵコードが存在している当該エントリのアイコンカウンタの数値を１つ増加させ、時刻メモリの値をその時刻に設定する。この場合、そのアイコンの表示の態様は維持されるようにしてもよい。
こうして、同じ商品のＰＬＵコードが受信される毎に、アイコンカウンタの数値が１ずつ増加していく。
【０１１３】
そして、操作者が操作を終え、次の操作者が計量装置を操作するまで、例えば、アイコンテーブルに登録されているエントリのすべての表示優先度を１に変更する。このことにより、操作者による計量装置の操作のときに、現在アイコンテーブルにエントリされているアイコンが表示される。
【０１１４】
なお、上記の表示優先度及び選択可能の欄の設定値と表示の態様は、一例であり、その他の表示態様の設定を行ってもよいことは言うまでもない。
【０１１５】
また、アイコンの時刻が現在時刻から所定の時間よりも前である場合には、操作者の操作ミスであることが推定されるため、アイコンの表示を禁止するとともに、アイコンのエントリを消去することが望ましい。
【０１１６】
また、計量装置１０は、表示タッチパネル１０４の画面上に表示したアイコンが操作者によって選択され、対応する商品の計量が実行されてラベルを発行すると、アイコンテーブルにおけるその商品のＰＬＵコードのエントリについて、アイコンカウンタの数値を１つ減少させる。そして、その結果アイコンカウンタの数値が「０」になった場合は、そのエントリをアイコンテーブルから削除するとともに、画面上から当該商品のアイコンを消去する。アイコンカウンタの数値が「０」でない場合、エントリの削除とアイコンの消去は行わない。
【０１１７】
このように、アイコンカウンタは、その商品についてまだ計量が済んでいない操作者の数を表しており、このアイコンカウンタが「０」になるまでは表示タッチパネル１０４の画面上に当該商品のアイコンが表示され続ける。
【０１１８】
なお、操作者（操作者）による計量装置への操作の最中である期間については、上述のように、操作者が商品を載置してから、ラベルをプリントアウトするまでとして扱った。
【０１１９】
しかしながら、操作者が計量装置の前にその後も留まっている場合には、複数の商品の計量を行う可能性が高い。操作者が、計量装置を離れるまでは、操作者の操作が継続していると判断して、アイコンの表示の態様をそのまま維持するようにしてもよい。例えば、計量装置に人感センサを設けて、操作者が離れたかを感知したり、操作者の顔を認識して、同じ操作者が計量装置の前に存在するかを検知したりすることで、操作者の操作が終了したかを検知するようにしてもよい。或いは、所定の時間、計量装置１０に載置されない場合には、操作者の操作が終了したと認識してもよい。
【０１２０】
図１７は、操作者が商品を計量装置に載置したときの状態を示した図である。図１７（Ａ）に示されるように、操作者が商品リンゴ４０−１を載置している。
【０１２１】
図１７（Ｂ）に示されるように、商品が載置されると、表示タッチパネル１０４ｃに示されるように、重量が計算され０．３６０６Ｋｇである旨表示される。そして、「商品を選択してくださいと」説明が表示される。また、リンゴのアイコン１０４Ｐと、レモンのアイコン１０４Ｑが表示されている。これらのアイコンが表示されているのは、既に操作者が、リンゴとレモンのタグ装置２０をタッチしていたからである。
【０１２２】
なお、商品が載置された時点においては、撮像部１１１によって載置された商品の認識を開始させないようにしてもよい。なぜなら、計量装置１０の表示タッチパネル１０４ｃには、操作者が選択するべき候補のアイコンが表示されるのが通常だからである。表示タッチパネル１０４ｃに、アイコンが表示されていない場合、或いは、後述するように、操作者によってサーチキー１０４Ｙがタッチされた場合には、撮像部１１１により認識された商品の候補に対応するアイコンを表示させるようにしてもよい。
【０１２３】
なお、計量を中止するボタン１０４Ｘ、他の商品を選択するためのサーチキー１０４Ｙが表示されてもよい。
【０１２４】
操作者の操作中に中止するボタン１０４Ｘがタッチされた場合には、待機画面（例えば前の画面）に戻り、選択されていたアイコンは非選択となり、表示されていたアイコンはクリアされずに、所定時間が経つまでその画面が表示されるようにしてもよい。所定時間が経つと、例えば、図９の初期画面を表示させてもよい。
【０１２５】
或いは、後述する各種の変形例などで示されているように、ある画面に異なる表示態様でアイコンが表示されているときに、中止するボタン１０４Ｘがタッチされた場合には、待機画面（例えば図９の画面）に戻り、操作者が再度操作を進めると全てのアイコンが同じ表示態様で表示されるようにしてもよい。
【０１２６】
また、サーチキー１０４Ｙがタッチされた場合には、撮像部１１１により載置された商品を非接触にパターン認識し、パターン認識結果に基づいて、商品を検索できるようにしてもよい（不図示：商品認識部）。そして、認識候補を選択させるようにしてもよい。或いは、計量装置が文字入力キーを表示して、操作者が商品の名前の一部を入力することにより、商品を検索できるようにしてもよい。複数の検索結果候補が存在する場合には、操作者に、その複数の候補を表示画面に提示し、操作者に選択を促すようにしてもよい。
【０１２７】
また、サーチキー１０４Ｙが表示されていない場合において、操作者の操作が所定時間経過したときは、サーチキー１０４Ｙを表示させるようにしてもよい。第２のモードが切り換わった直後は、モードが切り換わった後にエントリされた商品のアイコンを表示させないようにしてもよい。
【０１２８】
また、１つの商品でも計量及びラベルの印刷が終わると、第１の操作者の操作が終わった旨を宣言する操作完了ボタン（図２０、１０４Ｚ）が、計量装置の画面に表示されるようにしてもよい。操作者が操作完了ボタン（図２０、１０４Ｚ）を押すと、中止するボタン１０４Ｘと同様に待機画面に戻り、操作者が選択した商品に対応するアイコン全てが同じ表示態様になるようにしてもよい。
【０１２９】
図１８は、計量装置での商品選択の例を示す図である。図１８（Ａ）に示されるように、操作者は、リンゴのアイコン１０４Ｐを選択している。
【０１３０】
図１８（Ｂ）の画面１０４ｅでは、りんご1個の単価１２０円が表示されており、合計が３６０円であることが示される。また、プリントボタン１０４Ｔが表示されている。また、戻るボタン１０４Ｓが表示されている。
【０１３１】
この図１８（Ｂ）の画面においても、或いは後述のラベルの印刷を指示出きる画面や印刷を説明する画面中（図１９（Ａ）又は（Ｂ）の画面）においても、第１の操作者がタッチすることが可能であったアイコンの集合を、画面の一部に小さく表示して見えるようにすると共に選択指示できるようにしてもよい。このようにすることによって、操作者がアイコンを押下することで、操作の途中で商品データを入れ替えることも可能となる。このような表示を行うことによって、操作ミスした場合であっても、例えば図１７（Ｂ）の画面まで戻ることなく、正しい商品を選択し直すことができる。
【０１３２】
図１９は、ラベルをプリントする様子を示した図である。図１９（Ａ）の画面１０４ｆに示されるように、操作者は、表示された商品を購入するべく、プリントボタン１０４Ｔにタッチしている。この操作によって、ラベルがプリントされる。
【０１３３】
図１９（Ｂ）は、画面１０４ｇにラベルＬを商品の袋に貼るためのガイダンスが表示されている。操作者は、このガイダンスに従って、プリントされたラベルを商品の袋に貼ればよい。ラベルには、価格を含むシンボルコードＬ１（シンボルコードＬ１は、第２のシンボルコードの一例である）が印字されていることが分かる。図１９（Ｂ）のラベルＬの例を図２５（Ｂ）に示す。
【０１３４】
図２０は、アイコンの表示態様の一例を示した図である。図２０（Ａ）に示すように、リンゴのラベルがプリントされたため、リンゴのアイコン（１０４Ｐ）の表示は消えている。
【０１３５】
図２０（Ｂ）は、操作者の操作が終了したため、操作者の操作の最中に他の操作者がタグ装置２０をタッチすることにより、新たな商品がエントリされ、このエントリに基づいて、商品のアイコンが表示されている様子を示している。新たに、リンゴとレモンとオレンジがエントリされたため、リンゴのアイコンが再度表示されている。また、オレンジのアイコン１０４Ｑが新たに表示されている。
【０１３６】
なお、レモンのアイコンには、２の数値を示すカウンタ値１０４Ｖが表示されている。レモンについては、２名の操作者が購入する予定であることがわかる。なお、カウンタ値が１の場合には、図２０（Ｂ）に示すように、カウンタ値の表示を省略してもよい。すでに説明したように、カウンタ値が２以上の商品のアイコンについては、操作者の操作が終了したときにカウンタ値をデクリメントした値を表示するようにして、アイコンの表示は消去しない。
【０１３７】
図２０（Ａ）の画面から図２０（Ｂ）の画面に遷移する契機の例としては、所定の時間が経過したとき、新たに商品が載置されたとき、操作完了ボタン１０４Ｚが押されたとき、などが挙げられる。なお、操作完了ボタン１０４Ｚは、他の画面において表示されてもよい。或いは、図９に示す初期画面以外の全ての画面で、操作完了ボタンが表示されてもよい。
なお、図２０（Ｂ）の画面を表示する前に、図９の初期画面１０４ｂを表示させ、操作者が商品を載置したら、図２０（Ｂ）を表示させるようにしてもよい。
【０１３８】
例えば、第１の操作者の操作開始時刻Ｔ１までに、商品Ａ、Ｂ、Ｃにそれぞれ対応する商品タグ装置がタッチされていた場合、商品Ａ、Ｂ、Ｃにそれぞれ対応するアイコンが表示され、計量装置が、商品Ａを計量し、ラベルを印刷すると、完了して画面が切り換わることとなる。この第１の操作者の操作開始時刻Ｔ１の後に、操作者によってタッチされた商品タグ装置に対応する商品Ｄ、Ｅ、Ｆのアイコンも併せて表示され、すなわち商品Ｂ、Ｃ、Ｄ、Ｅ、Ｆのアイコンが表示されるようにしてもよい。
【０１３９】
なお、商品Ｄ、Ｅ、Ｆのアイコンの表示態様は、商品Ａ、Ｂ、Ｃの表示態様と異なるようにしてもよいし、同じ表示態様であってもよい。表示態様を異ならせた場合には、例えば操作開始時刻Ｔ１から所定時間が経過した場合、または操作完了ボタン（図２０、１０４Ｚ）などが操作者に押された場合には、商品Ｂ、Ｃ、Ｄ、Ｅ、Ｆのアイコンが同じ態様で表示されるようにしてもよい。
【０１４０】
＜実施形態２＞
【０１４１】
第１の操作者の操作開始時刻Ｔ２までに、商品Ａ、Ｂ、Ｃにそれぞれ対応する商品タグ装置がタッチされていた場合、例えば、商品Ａ、Ｂ、Ｃの計量及び印刷までの全てが完了したか、操作完了ボタン（図２０、１０４Ｚ）などが操作者により押されたか、操作開始時刻Ｔ２から所定時間が経過したか、のいずれかの状況にならなければ、第の１の操作者が操作開始時刻Ｔ２の後に操作者によってタッチされた商品タグ装置に対応する商品Ｄ、Ｅ、Ｆのアイコンは表示されないようにするか、または表示態様が異なって表示されるようにしてもよい。
【０１４２】
＜変形例１＞
【０１４３】
図２１は、アイコンの表示態様の一例を示した図である。操作者が計量装置を操作する前にエントリされた商品のアイコンは、領域Ａに表示され、操作者が選択することができるようにしている。
【０１４４】
操作者が操作中にエントリされた商品のアイコンは、領域Ｂに表示させている。領域Ｂに表示されたアイコンは、操作者がエントリしたものではないため、グレーアウトの表示にしたり、色を変えたり、選択できないようにすることが望ましい。
【０１４５】
＜変形例２＞
図２２は、アイコンの表示態様の一例を示した図である。操作者が計量装置を操作する前にエントリされた商品のアイコンは、領域Ａに表示させ、操作者が選択することができるようにしている。
【０１４６】
操作者が操作中にエントリされた商品のアイコンは、領域Ｂに表示させている。領域Ｂに表示されたアイコンは、操作者がエントリしたものではないため、領域Ａのアイコンよりも小さなアイコンとなっており、グレーアウトの表示にしたり、色を変えたり、選択できないようにすることが望ましい。
【０１４７】
＜変形例３＞
図２３は、アイコンの表示態様の一例を示した図である。操作者が商品をエントリした時刻から現在までの時刻までの経過時間が長いほど、アイコンの大きさを変えると共に、上位に表示させた例である。上位に表示されたアイコンは、操作者が選択する可能性が高いアイコンであり、下部に小さく表示されたアイコンは、操作者の操作中に他の操作者がエントリしたアイコンである可能性が高い。操作者は、上位に大きく表示されたアイコンに注目して、商品を選択することが容易に行える。なお、この場合、小さく表示されたアイコンは、操作者が選択できないようにしてもよい。また、経過時間が所定の時間よりも長いエントリのアイコンについては、上述したようにアイコンの表示を禁止するとともに、エントリを削除することが望ましい。操作者が誤って商品をエントリした可能性が高いからである。
【０１４８】
＜変形例４＞
第１の操作者が最初に操作し始めてからの時間をタイマで計測するようにしてもよい。そして、所定時間（例えば３分）までは、第１の操作者が計量装置の操作を開始するタイミングまでに押された商品のアイコンしか表示されないようにしてもよい。すなわち、たとえ第１の操作者が、商品を１品だけ計量しラベルの印字を完了したとしても第１の操作者が操作し始めたタイミング以降に第２の操作者などによって選択された商品のアイコンは表示されないようにしてもよい。ただし、第１の操作者が上記所定時間までに、表示されているアイコンに対応する全ての商品の計量及びラベルの印字まで完了した場合には、第２の操作者が上記タイミング以降に選択した商品のアイコンを表示してもよい。
【０１４９】
＜変形例５＞
また、上記タイマが所定時間に達した場合には、たとえ第１の操作者が選択した商品のアイコンの表示がまだ残っていたとしても、第２の操作者以降が上記タイミング以降に選択した商品のアイコンを表示するようにしてもよい。この際、タイマが所定時間に達した瞬間に表示することでもよいが、所定時間に達しても直ちに表示を変更するのではなく、所定時間に達した後にラベル発行処理が完了した後に第２の操作者以降が前記タイミング以降に選択した商品のアイコンを表示させるようにしてもよい。
【０１５０】
＜実施形態３＞
図２４は、計量装置の動作の実施形態を示すフローチャートである。
図２４（Ａ）は、タグ装置からの商品選択に関する情報を監視し、常にその情報を受け取るフローチャートである。
図２４（Ｂ）は、載置された商品の計量値と、タッチされたアイコンから、商品の価格を決定して、ラベルを発行するフローチャートである。
【０１５１】
図２４（Ａ）において、ステップＳ５０１は、たとえば割り込みによって定期的に開始するようにして、計量装置に接続された複数のタグ装置を常に監視する状態を形成することが望ましい。なお、このステップＳ５０１からＳ５０５の処理は、モードの如何を問わず、常に割り込み処理によって、動作するしてもよい。
【０１５２】
ステップ５０３で、操作者がタグ装置にタッチした場合にタグ装置から送られてくるＰＬＵデータ（商品識別情報）が受け取られる。そして処理はステップＳ５０５に移る。
ステップＳ５０５で、受け取られたＰＬＵデータに対応する、表示するべきアイコンを特定する。
処理は終了するが、上記の処理は繰返し行われることが望ましい。
【０１５３】
図２４（Ｂ）において、ステップＳ５５１で、計量値が取得される、計量措置の画面がタッチされた場合には、そのタッチのタイミングで、後述のステップＳ５５３を活性化させる。画面がタッチされなければ、商品が載置されたタイミングで、後述のステップＳ５５３を活性化させる。いずれにしても、このステップにおいて、載置された商品の計量値を取得する。処理は、まずステップＳ５５３に移る。
【０１５４】
ステップＳ５５３で、商品情報の受取タイミングが、操作者の操作開始タイミングの前か後かに応じて、アイコンの表示態様を異ならせて表示する。表示の異ならせ方は、既に述べた実施形態、及び変形例のいずれもが適用できる。そして、操作者により選択されたアイコンを特定する。処理はステップＳ５５５に移る。
【０１５５】
ステップＳ５５５は、ステップＳ５５１とステップＳ５５３からの二つの情報がそろったときに実行される。計量値と単価を用いて、載置された商品の価格を計算する。操作者からの印刷の指示に応答して、ラベルを印刷する。
【０１５６】
以上が、計量装置の動作方法及び計量装置を動作させるフローの概略である。その他の実施形態及び変形例は、既に述べた実施形態及び変形例がそのまま適用できる。
【０１５７】
以上、実施形態及びその変形例について説明した。これらの実施形態及び変形例は、その一部を他の実施形態及びその変形例と組み合わせることができることは言うまでもない。異なるモード間で、実施形態を入れ換えてもよい。
【０１５８】
また、これらの実施形態及びその変形例は、生鮮食料品の販売の適用に限定されるものではない。例えば、ショーケースに置かれたケーキなどを操作者又は店員が選択するときに、それぞれのケーキの近傍に、タグ装置２０をそれぞれ設けて、店員のポス端末での処理を容易化させることに適用することもできる。
また、これらの実施形態及びその変形例は、例示であって、この例示に限定されるものではない。
【０１５９】
また、各実施形態及び変形例では、例えば計量装置は、対面秤のようにタッチパネルディスプレイ、計量部、ラベル発行部が一体となったものとなっているが、これに限られない。すなわち、計量装置を構成する各単体が、別位置に存在し、相互接続されたものでもよい。また、表示タッチパネルと計量部が一体化された秤と、ラベルプリンタが、分離しており、相互接続されていてもよい。また、表示タッチパネルとラベル発行部が一体化したラベルプリンタと、単体の秤が接続されたものでもよい。
実施形態を実現するプログラムは、記憶媒体（non transitory）に記憶され必要に応じて読み込まれる。
【０１６０】
本実施形態の処理ステップは、矛盾の無い限り順番を入れ替えることができる。また、各処理ステップは、リカーシブに実行されることがあり得る。また、各処理ステップは、矛盾の無い限り同時に実行され得る。
また、本願の開示には、計量装置１０及びタグ装置２０を含むシステムを製造する方法の発明が含まれる。
【符号の説明】
【０１６１】
１０  計量装置
２０  タグ装置
３１  ストアコントローラ
３２  ＰＯＳ端末
３３  セルフＰＯＳ端末
１０４  表示タッチパネル
【図１】
2020143968.tif 000003
【図２】
2020143968.tif 000004
【図３】
2020143968.tif 000005
【図４】
2020143968.tif 000006
【図５】
2020143968.tif 000007
【図６】
2020143968.tif 000008
【図７】
2020143968.tif 000009
【図８】
2020143968.tif 000010
【図９】
2020143968.tif 000011
【図１０】
2020143968.tif 000012
【図１１】
2020143968.tif 000013
【図１２】
2020143968.tif 000014
【図１３】
2020143968.tif 000015
【図１４】
2020143968.tif 000016
【図１５】
2020143968.tif 000017
【図１６】
2020143968.tif 000018
【図１７】
2020143968.tif 000019
【図１８】
2020143968.tif 000020
【図１９】
2020143968.tif 000021
【図２０】
2020143968.tif 000022
【図２１】
2020143968.tif 000023
【図２２】
2020143968.tif 000024
【図２３】
2020143968.tif 000025
【図２４】
2020143968.tif 000026
【図２５】
2020143968.tif 000027